(57)【要約】【課題】  セキュリティ認証、もしくは異なるセキュリティ認証を有する自動エンコードシステムをメモリカードの制御チップに内蔵され、デジタル管理メカニズムが形成され、自動エンコードシステムを有するメモリカードを提供する。【解決手段】  セキュリティ認証、もしくは異なるセキュリティ認証を有する自動エンコードシステムをメモリカードの制御チップに内蔵され、それによって、デジタル管理メカニズムが形成され、ソフトウェアとハードウェアでメモリカードのコンテンツとメモリカードとの間、セキュリティ手段に従い、セキュリティチップをR/Wハードウェアに搭載する必要がなくて、これによって、ネットワークにおけるデジタル管理を普及し、達成する。【選択図】  図１
2005135111.tif 000002
【特許請求の範囲】
【請求項１】
自動エンコードシステムをメモリカードの制御チップに内蔵することを含むことを特徴とする自動エンコードシステムを有するメモリカード。
【請求項２】
前記自動エンコードシステムが、少なくとも一つのセキュリティ認証を格納することを含むことを特徴とする請求項１に記載の自動エンコードシステムを有するメモリカード。
【請求項３】
前記セキュリティ認証が、メモリカードに自動コンコードシステムを有するデジタルコンテンツを保護し、そのほか自動エンコードシステムを有しないデジタルコンテンツを保護しないことを含むことを特徴とする請求項２に記載の自動エンコードシステムを有するメモリカード。
【請求項４】
前記メモリカードが、異なるセキュリティ認証を有する同一のコンテンツを保存し、セキュリティ認証によって、それぞれ保護することを含むことを特徴とする請求項２に記載の自動エンコードシステムを有するメモリカード。
【請求項５】
前記メモリカードが、電子商取引システムに応用され、前記電子商取引システムにおいて、消費者がコンテンツをダウンロードし、セキュリティ認証を内蔵するメモリカードに保存することを制限し、かつ、セキュリティ認証を内蔵するメモリカードのセキュリティ認証およびダウンロードするコンテンツを結びつけ、メモリカードに保存することを含むことを特徴とする請求項２に記載の自動エンコードシステムを有するメモリカード。
【請求項６】
前記メモリカードが、メディア放送機器に応用され、前記メディア放送機器において、直接に前記メモリカードから放送し、セキュリティ認証を有しないコンテンツをメディア放送機器のレジスターに転送することを含むことを特徴とする請求項２に記載の自動エンコードシステムを有するメモリカード。
【請求項７】
前記メディア放送機器が、放送する前に先にメモリカードのセキュリティ認証を確認し、合わないものを放送しないことを含むことを特徴とする請求項６に記載の自動エンコードシステムを有するメモリカード。
【請求項８】
前記制御チップが、占有要因を具え、メモリカードにダウンロードする時、先にメモリカードのセキュリティ認証が記憶装置に一致するか確認し、一致しなかったら、無意義ファイルでメモリ容量を占有することを含むことを特徴とする請求項１、もくしは請求項２に記載の自動エンコードシステムを有するメモリカード。
【請求項９】
前記自動エンコードシステムが、少なくとも一つのセキュリティ認証を格納し、メモリカードの制御チップに設けられることを含むことを特徴とする自動エンコードシステムを有するメモリカード。
【請求項１０】
前記セキュリティ認証が、メモリカードに自動エンコードシステムを有するデジタルコンテンツを保護し、そのほか自動エンコードシステムを有しないデジタルコンテンツを保護しないことを含むことを特徴とする請求項９に記載の自動エンコードシステムを有するメモリカード。
【請求項１１】
前記メモリカードが、異なるセキュリティ認証を有する同一のコンテンツを保存し、セキュリティ認証によって、それぞれ保護することを含むことを特徴とする請求項９に記載の自動エンコードシステムを有するメモリカード。
【請求項１２】
前記メモリカードが、電子商取引システムに応用され、前記電子商取引システムにおいて、消費者がコンテンツをダウンロードし、セキュリティ認証を内蔵するメモリカードに保存することを制限し、かつ、セキュリティ認証を内蔵するメモリカードのセキュリティ認証およびダウンロードするコンテンツを結びつけ、メモリカードに保存することを含むことを特徴とする請求項９に記載の自動エンコードシステムを有するメモリカード。
【請求項１３】
前記メモリカードが、メディア放送機器に応用され、前記メディア放送機器において、直接に前記メモリカードから放送し、セキュリティ認証を有しないコンテンツをメディア放送機器のレジスターに転送することを含むことを特徴とする請求項９に記載の自動エンコードシステムを有するメモリカード。
【請求項１４】
前記メディア放送機器が、放送する前に先にメモリカードのセキュリティ認証を確認し、合わないものを放送しないことを含むことを特徴とする請求項１３に記載の自動エンコードシステムを有するメモリカード。
【請求項１５】
前記制御チップが、占有要因を具え、メモリカードにダウンロードする時、先にメモリカードのセキュリティ認証が記憶装置に一致するか確認し、一致しなかったら、無意義ファイルでメモリ容量を占有することを含むことを特徴とする請求項９に記載の自動エンコードシステムを有するメモリカード。
【発明の詳細な説明】
【技術分野】
【０００１】
この発明はセキュリティ認証をメモリカードの制御チップに内蔵されることを含む自動エンコードシステムを有するメモリカードに関する。
【背景技術】
【０００２】
デジタルネットワーク時代の高速の発展に従って、ネットワークとモバイルインターネットを利用する業務も急速に広く開拓して、現在デジタル化管理の推進しにくい問題点が、デジタルコンテンツ(Content)とハードウエア(Device)と結び付ける技術にあって、従来の方法がデジタルコンテンツを保護機能を有するチップを焼き付けるので、更に対応するハードウェアからチップのコンテンツを読み取る。
【発明の開示】
【発明が解決しようとする課題】
【０００３】
この発明は、セキュリティ認証、もしくは異なるセキュリティ認証を有する自動エンコードシステムをメモリカードの制御チップに内蔵され、それによって、デジタル管理メカニズムが形成され、ソフトウェアとハードウェアでメモリカードのコンテンツとメモリカードとの間、セキュリティ手段に従い、セキュリティチップをR/Wハードウェアに搭載する必要がなくて、これによって、ネットワークにおけるデジタル管理を普及し、達成することを含む自動エンコードシステムを有するメモリカードを提供することを課題とする。
【課題を解決するための手段】
【０００４】
そこで、本発明者は、従来の技術に見られる欠点に鑑みて鋭意研究を重ねた結果、セキュリティ認証、もしくは異なるセキュリティ認証を有する自動エンコードシステムをメモリカードの制御チップに内蔵され、それによって、デジタル管理メカニズムが形成され、ソフトウェアとハードウェアでメモリカードのコンテンツとメモリカードとの間、セキュリティ手段に従い、セキュリティチップをR/Wハードウェアに搭載する必要がなくて、これによって、ネットワークにおけるデジタル管理を普及し、達成することを含むこと自動エンコードシステムを有するメモリカードによって課題を解決できる点に着眼し、かかる知見に基づいて本発明を完成させた。
【０００５】
以下、この発明について具体的に説明する。
請求項１に記載する自動エンコードシステムを有するメモリカードは、自動エンコードシステムをメモリカードの制御チップに内蔵することを含む。
【０００６】
請求項２に記載する自動エンコードシステムを有するメモリカードは、請求項１における自動エンコードシステムが、少なくとも一つのセキュリティ認証を格納することを含む。
【０００７】
請求項３に記載する自動エンコードシステムを有するメモリカードは、請求項２におけるセキュリティ認証が、メモリカードに自動コンコードシステムを有するデジタルコンテンツを保護し、そのほか自動エンコードシステムを有しないデジタルコンテンツを保護しないことを含む。
【０００８】
請求項４に記載する自動エンコードシステムを有するメモリカードは、請求項２におけるメモリカードが、異なるセキュリティ認証を有する同一のコンテンツを保存し、セキュリティ認証によって、それぞれ保護することを含む。
【０００９】
請求項５に記載する自動エンコードシステムを有するメモリカードは、請求項２におけるメモリカードが、電子商取引システムに応用され、前記電子商取引システムにおいて、消費者がコンテンツをダウンロードし、セキュリティ認証を内蔵するメモリカードに保存することを制限し、かつ、セキュリティ認証を内蔵するメモリカードのセキュリティ認証およびダウンロードするコンテンツを結びつけ、メモリカードに保存することを含む。
【００１０】
請求項６に記載する自動エンコードシステムを有するメモリカードは、請求項２におけるメモリカードが、メディア放送機器に応用され、前記メディア放送機器において、直接に前記メモリカードから放送し、セキュリティ認証を有しないコンテンツをメディア放送機器のレジスターに転送することを含む。
【００１１】
請求項７に記載する自動エンコードシステムを有するメモリカードは、請求項６におけるメディア放送機器が、放送する前に先にメモリカードのセキュリティ認証を確認し、合わないものを放送しないことを含む。
【００１２】
請求項８に記載する自動エンコードシステムを有するメモリカードは、請求項１、もしくは請求項２における制御チップが、占有要因を具え、メモリカードにダウンロードする時、先にメモリカードのセキュリティ認証が記憶装置に一致するか確認し、一致しなかったら、無意義ファイルでメモリ容量を占有することを含む。
【００１３】
請求項９に記載する自動エンコードシステムを有するメモリカードは、自動エンコードシステムが、少なくとも一つのセキュリティ認証を格納し、メモリカードの制御チップに設けられることを含む。
【００１４】
請求項１０に記載する自動エンコードシステムを有するメモリカードは、請求項９におけるセキュリティ認証が、メモリカードに自動エンコードシステムを有するデジタルコンテンツを保護し、そのほか自動エンコードシステムを有しないデジタルコンテンツを保護しないことを含む。
【００１５】
請求項１１に記載する自動エンコードシステムを有するメモリカードは、請求項９におけるメモリカードが、異なるセキュリティ認証を有する同一のコンテンツを保存し、セキュリティ認証によって、それぞれ保護することを含む。
【００１６】
請求項１２に記載する自動エンコードシステムを有するメモリカードは、請求項９におけるメモリカードが、電子商取引システムに応用され、前記電子商取引システムにおいて、消費者がコンテンツをダウンロードし、セキュリティ認証を内蔵するメモリカードに保存することを制限し、かつ、セキュリティ認証を内蔵するメモリカードのセキュリティ認証およびダウンロードするコンテンツを結びつけ、メモリカードに保存することを含む。
【００１７】
請求項１３に記載する自動エンコードシステムを有するメモリカードは、請求項９におけるメモリカードが、メディア放送機器に応用され、前記メディア放送機器において、直接に前記メモリカードから放送し、セキュリティ認証を有しないコンテンツをメディア放送機器のレジスターに転送することを含む。
【００１８】
請求項１４に記載する自動エンコードシステムを有するメモリカードは、請求項１３におけるメディア放送機器が、放送する前に先にメモリカードのセキュリティ認証を確認し、合わないものを放送しないことを含む。
【００１９】
請求項１５に記載する自動エンコードシステムを有するメモリカードは、請求項９における制御チップが、占有要因を具え、メモリカードにダウンロードする時、先にメモリカードのセキュリティ認証が記憶装置に一致するか確認し、一致しなかったら、無意義ファイルでメモリ容量を占有することを含む。
【発明の効果】
【００２０】
この発明によれば、セキュリティ認証、もしくは異なるセキュリティ認証を有する自動エンコードシステムをメモリカードの制御チップに内蔵され、それによって、デジタル管理メカニズムが形成され、ソフトウェアとハードウェアでメモリカードのコンテンツとメモリカードとの間、セキュリティ手段に従い、セキュリティチップをR/Wハードウェアに搭載する必要がなくて、これによって、ネットワークにおけるデジタル管理を普及し、達成する効果を有する。
【発明を実施するための最良の形態】
【００２１】
この発明は、自動エンコードシステムを有するメモリカードにおいて、セキュリティ認証、もしくは異なるセキュリティ認証を有する自動エンコードシステムをメモリカードの制御チップに内蔵され、それによって、デジタル管理メカニズムが形成され、ソフトウェアとハードウェアでメモリカードのコンテンツとメモリカードとの間、セキュリティ手段に従い、セキュリティチップをR/Wハードウェアに搭載する必要がなくて、これによって、ネットワークにおけるデジタル管理を普及し、達成することに供する。
かかる  自動エンコードシステムを有するメモリカードについて、具体的な実施例を挙げ、その特徴を以下に詳述する。
【実施例】
【００２２】
図１に開示するように、この発明による自動エンコードシステムを有するメモリカード１０は、自動エンコードシステムを有するメモリカード１０の制御チップ１１が、セキュリティ認証（SID, Security Indentification）１２および占有要因１４を結びつける。自動エンコードシステムを有するメモリカード１０のデータ伝送率を48Mbps/分に設定し、そのセキュリティ認証１２が消費者に異なる種類の著作権保護１３を提供し、該著作権保護１３が複製禁止１３１、ダウンロード可能１３２、実行可能１３３、消去可能１３４を含み、該自動エンコードシステムを有するメモリカード１０が、自動エンコードシステムを有するデジタルコンテンツ２０あるいは自動エンコードシステムを有しないデジタルコンテンツ３０を保存するか伝送する、を供する。
この自動エンコードシステムを有するデジタルコンテンツ２０は何項目の特徴を持つ：
（ａ）自動エンコードシステムを有するメモリカードに保存されるデジタルコンテンツが、セキュリティ認証によって著作権を保護する。
（ｂ）ただ実行する(複製していない)。
（ｃ）万が一保護されたコンテンツが消去される時、自動エンコードシステムを有するメモリカードが、新しいデジタルコンテンツをダウンロードするか複製することを提供でき、復元デジタルコンテンツとする。
この自動エンコードシステムを有しないデジタルコンテンツ３０は何項目の特徴を持つ：
（ａ）このデジタルコンテンツは複製されるか実行されることができる。
（ｂ）デジタルコンテンツは万が一消去される時、自動エンコードシステムによって、自動エンコードシステムを有するメモリカードにおけるデジタルコンテンツを復元デジタルコンテンツとする。
【００２３】
また、図２に開示するように、該自動エンコードシステムを有するメモリカード１０は、異なる個人向けハードウェア４０に接続し、たとえば、有線あるいは無線のパソコン/ノートブック４１、汎用シリアルバス（USB）を内蔵するカード読み取り機４２、汎用シリアルバスを内蔵する有線メディア放送機器４３、個人用携帯情報端末（PDA）あるいはスマートフォン４４などハードウェアである。有線あるいは無線のパソコン/ノートブック４１は、有線あるいは無線のネットワーク５０に接続し、該ネットワーク５０は商業販売６０の一端に接続し、該商業販売６１が、音楽ダウンロードあるいはコンビニエンスストア６１であることができ、しかも該音楽ダウンロードあるいはコンビニエンスストア６１が、１０ａ  自動エンコードシステムを有するメモリカードを読み取ることができる。
【００２４】
図１、２に開示するように、該自動エンコードシステムを有するメモリカード１０におけるセキュリティ認証１２は、自動エンコードシステムを有するデジタルコンテンツ２０を保護し、そのほか自動エンコードシステムを有しないデジタルコンテンツ３０を保護しなくて、かつ、自動エンコードシステムを有するメモリカード１０に内蔵される制御チップ１１が、異なるセキュリティ認証１２を有する同一のコンテンツを保存し、異なるセキュリティ認証１２によって、自動エンコードシステムを有するメモリカード１０のコンテンツをそれぞれ保護する
【００２５】
該自動エンコードシステムを有するメモリカード１０は、電子商取引システムに応用される時、該電子商取引システムにおいて、消費者がコンテンツをダウンロードし、セキュリティ認証を内蔵する自動エンコードシステムを有するメモリカード１０に保存することを制限し、かつ、セキュリティ認証を内蔵する自動エンコードシステムを有するメモリカード１０のセキュリティ認証およびダウンロードするコンテンツを結びつけ、自動エンコードシステムを有するメモリカード１０に保存する
【００２６】
該自動エンコードシステムを有するメモリカード１０が、メディア放送機器４２に応用される時、該メディア放送機器４２において、直接に該自動エンコードシステムを有するメモリカード１０から放送し、セキュリティ認証を有しないコンテンツをメディア放送機器のレジスターに転送し、かつ、該メディア放送機器４２が、放送する前に先に自動エンコードシステムを有するメモリカード１０のセキュリティ認証を確認し、合わないものを放送しない。また、該メディア放送機器４２が、放送する前に先に自動エンコードシステムを有するメモリカード１０のセキュリティ認証が記憶メディアに一致するか確認し、一致しなかったら、占有要因１４が無意義ファイルでメモリ容量を占有する。
【産業上の利用可能性】
【００２７】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２８】
【図１】本発明の実施の形態を示した概略のブロック図である。
【図２】本発明の実施の形態のダウンロードするコンテンツを示した概略のブロック図である。
【符号の説明】
【００２９】
１０  自動エンコードシステムを有するメモリカード
１０ａ  自動エンコードシステムを有するメモリカード
１１  制御チップ
１２  セキュリティ認証
１３  著作権保護
１３１  複製禁止
１３２  ダウンロード可能
１３３  実行可能
１３４  消去可能
１４  占有要因
２０  自動エンコードシステムを有するデジタルコンテンツ
３０  自動エンコードシステムを有しないデジタルコンテンツ
４０  個人向けハードウェア
４１  有線あるいは無線のパソコン/ノートブック
４２  汎用シリアルバス（USB）を内蔵するカード読み取り機
４３  汎用シリアルバスを内蔵する有線メディア放送機器
４４  個人用携帯情報端末（PDA）あるいはスマートフォン
５０  ネットワーク
６０  商業販売
６１  音楽ダウンロードあるいはコンビニエンスストア
【図１】
2005135111.tif 000003
【図２】
2005135111.tif 000004